(57)【特許請求の範囲】
【請求項１】
店舗サーバに接続されたリーダライタとの間の非接触カード通信を用いて電子決済を行う移動体端末装置であって、
前記リーダライタから、前記非接触カード通信を用いて、該移動体端末装置で利用可能な全ての電子決済サービスを示す利用可能サービス情報を問い合わせる一括ポーリング信号を受信し、
前記リーダライタからの前記一括ポーリング信号に応じて、前記非接触カード通信を用いて、前記利用可能サービス情報を前記リーダライタに送信し、
前記店舗サーバにおいて前記利用可能サービス情報に基づいて特定された、前記移動体端末装置で利用可能な電子決済サービスのうち店舗側でも対応可能な電子決済サービスを示す対応サービス情報を、前記非接触カード通信を用いて前記リーダライタから受信する通信手段と、
前記リーダライタから受信された前記対応サービス情報に基づいて、前記店舗サーバにおいて特定された前記電子決済サービスを表示する表示手段と、を具備し、
前記通信手段は、前記対応サービス情報とともに、該対応サービス情報が示す電子決済サービスを利用する場合の特典情報であって前記店舗サーバにおいて該電子決済サービスの暗号鍵を用いて暗号化された前記特典情報を受信し、
前記表示手段は、前記対応サービス情報が示す前記電子決済サービスの前記暗号鍵を有する場合に、該電子決済サービスとともに、該電子決済サービスの前記暗号鍵を用いて暗号解除された前記特典情報を表示することを特徴とする移動体端末装置。
【請求項２】
前記移動体端末装置で利用可能な電子決済サービスと該電子決済サービスに関する付属情報とを関連づけたテーブルを有し、
前記表示手段は、前記リーダライタから受信された前記対応サービス情報に基づいて、前記店舗サーバにおいて特定された前記電子決済サービスと、該電子決済サービスに前記テーブルで関連づけられている付属情報とを表示することを特徴とする請求項１に記載の移動体端末装置。
【請求項３】
前記表示手段に表示された前記電子決済サービスの中から選択された電子決済サービスに対応するアプリケーションを起動する非接触カード機能制御手段を具備することを特徴とする請求項１又は請求項２に記載の移動体端末装置。
【請求項４】
複数の電子決済サービスを利用可能な移動体端末装置と、該移動体端末装置と非接触カード通信を行うリーダライタと、該リーダライタに接続された店舗サーバとから構成され、前記移動体端末装置と前記リーダライタとの間の前記非接触カード通信を用いて電子決済を行う電子決済システムであって、
前記リーダライタは、前記移動体端末装置に対して、該移動体端末装置で利用可能な全ての電子決済サービスを示す利用可能サービス情報を問い合わせる一括ポーリング信号を送信し、
前記移動体端末装置は、前記リーダライタからの前記一括ポーリング信号に応じて、前記非接触カード通信を用いて、前記利用可能サービス情報を前記リーダライタに送信し、
前記店舗サーバは、前記リーダライタから受信した前記利用可能サービス情報に基づいて、前記移動体端末装置で利用可能な電子決済サービスのうち店舗側でも対応可能な電子決済サービスを特定し、特定された前記電子決済サービスを示す対応サービス情報を、前記リーダライタに送信し、
前記移動体端末装置は、前記リーダライタから受信した前記対応サービス情報に基づいて、前記店舗サーバにおいて特定された前記電子決済サービスを表示手段に表示させ、
前記店舗サーバは、店舗側で対応可能な電子決済サービスと、該電子決済サービスを利用する場合の特典情報とを関連付けたテーブルを有し、
前記店舗サーバは、前記対応サービス情報を前記リーダライタに送信する際に、前記テーブルにおいて前記対応サービス情報が示す電子決済サービスに関連づけられた特典情報であって該電子決済サービスの暗号鍵を用いて暗号化された前記特典情報を、前記リーダライタに送信し、
前記移動体端末装置は、前記リーダライタから、前記対応サービス情報とともに、該電子決済サービスの暗号鍵を用いて暗号化された前記特典情報を受信し、
前記移動体端末装置は、前記対応サービス情報が示す前記電子決済サービスの前記暗号鍵を有する場合に、該電子決済サービスとともに、該電子決済サービスの前記暗号鍵を用いて暗号解除された前記特典情報を前記表示手段に表示させることを特徴とする電子決済システム。
【発明の詳細な説明】
【技術分野】
【０００１】
本発明は移動体端末装置及び電子決済システムに関し、非接触カード機能を搭載した移動体端末装置及び電子決済システムに関する。
【背景技術】
【０００２】
非接触カード機能を搭載した携帯端末は広く普及しており、それらの携帯端末を用いた電子決済サービスも一般に知られている（特許文献１）。例えば、電子マネーサービスに対応しているのは現在では「Ｅｄｙ」や「ＳｕｉＣａ」など少数だけであるが、これから複数の事業者がこの分野に参入してくる可能性がある。このように複数の事業者が参入すると、ユーザは複数の事業者が提供するサービスの中から毎回最適なサービスを選択する必要が生じてくる。
【特許文献１】特願２００２−１０９４２７
【発明の開示】
【発明が解決しようとする課題】
【０００３】
電子決済サービスにおいて非接触カード機能を利用する場合には、店舗側に配設された外部リーダ／ライタ（Ｒ／Ｗ）から「ポーリング」と呼ばれる情報要求を携帯端末に対して行うことにより、携帯端末の非接触カード部と外部Ｒ／Ｗとの間で情報通信が開始される。通常、ポーリングは当該サービスが利用可能かどうかの問い合わせの形で行われる。例えば、複数のクレジットサービスに対応した外部Ｒ／Ｗと、複数のクレジットサービスを記憶した携帯端末とが接近した場合、外部Ｒ／Ｗからは携帯端末に対して「クレジットサービスＡは利用可能か？」という形で問い合わせ要求を行う。これに対して、携帯端末側からは「ＹＥＳ／ＮＯ」の回答を返す。このとき、携帯端末側が「ＹＥＳ」で回答した場合には、決済処理を行うための情報が外部Ｒ／Ｗから携帯端末側に発せられる。一方、携帯端末側が「ＮＯ」で回答した場合には、外部Ｒ／Ｗから別の候補の決済手段である「クレジットサービスＢ」について上記と同様の問い合わせが行われる。すなわち、携帯端末側から「ＹＥＳ」の回答が返ってくるまで外部Ｒ／Ｗはそれぞれのクレジットサービスについて問い合わせを繰り返す。したがって、携帯端末と外部Ｒ／Ｗとの間の情報通信において、情報の送受信が多くなるという問題がある。
【０００４】
また、この方法を用いると、店舗側で設定している「サービスの問い合わせの順序」にユーザが従わなければならない。ところが、ユーザが利用したいと考えるサービスの優先順位と店舗側で設定したサービスの優先順位とが必ずしも一致しているとは限らないため、ユーザが利用したいと考えているサービスに対してポーリングが行われる前に、別のサービスに対して行われたポーリングに対してユーザの携帯端末が応答してしまうと、ユーザの意図に反して別のサービスで自動的に決済が行われてしまうという問題もある。
【０００５】
本発明はかかる点に鑑みてなされたものであり、移動体端末装置と外部Ｒ／Ｗとの間の簡単な情報通信によりユーザが希望するサービスを利用することができる電子決済システムにおける移動体端末装置を提供することを目的とする。
【課題を解決するための手段】
【０００６】
本発明の移動体端末装置は、店舗サーバに接続されたリーダライタとの間の非接触カード通信を用いて電子決済を行う移動体端末装置であって、前記リーダライタから、前記非接触カード通信を用いて、該移動体端末装置で利用可能な全ての電子決済サービスを示す利用可能サービス情報を問い合わせる一括ポーリング信号を受信し、前記リーダライタからの前記一括ポーリング信号に応じて、前記非接触カード通信を用いて、前記利用可能サービス情報を前記リーダライタに送信し、前記店舗サーバにおいて前記利用可能サービス情報に基づいて特定された、前記移動体端末装置で利用可能な電子決済サービスのうち店舗側でも対応可能な電子決済サービスを示す対応サービス情報を、前記非接触カード通信を用いて前記リーダライタから受信する通信手段と、前記リーダライタから受信された前記対応サービス情報に基づいて、前記店舗サーバにおいて特定された前記電子決済サービスを表示する表示手段と、を具備し、前記通信手段は、前記対応サービス情報とともに、該対応サービス情報が示す電子決済サービスを利用する場合の特典情報であって前記店舗サーバにおいて該電子決済サービスの暗号鍵を用いて暗号化された前記特典情報を受信し、前記表示手段は、前記対応サービス情報が示す前記電子決済サービスの前記暗号鍵を有する場合に、該電子決済サービスとともに、該電子決済サービスの前記暗号鍵を用いて暗号解除された前記特典情報を表示することを特徴とする。
【０００７】
この構成によれば、店舗側装置から移動体端末装置で利用可能なサービスを送信してもらうことにより、移動体端末装置で利用できるサービスを個々に問い合わせる必要がなく、情報通信の数を減少させることができる。また、非接触カード機能を用いて、店舗側装置から簡易データを取得して表示させるので、移動機ＯＳ上でアプリケーションなどを起動させることなく、ユーザは簡単に利用サービスを選択することができる。その結果、電子決済において、簡単に、しかもユーザの希望するサービスを利用することができる。
【０００９】
本発明の移動体端末装置においては、該移動体端末装置で利用可能な電子決済サービスと該電子決済サービスに関する付属情報とを関連づけたテーブルを有し、前記表示手段は、前記リーダライタから受信された前記対応サービス情報に基づいて、前記店舗サーバにおいて特定された前記電子決済サービスと、該電子決済サービスに前記テーブルで関連づけられている付属情報とを表示することが好ましい。この構成によれば、自装置で利用可能なサービスを管理することができ、ユーザが希望するサービスを簡単な操作で利用することができる。
【００１０】
本発明の移動体端末装置においては、前記表示手段に表示された前記電子決済サービスの中から選択された電子決済サービスに対応するアプリケーションを起動する非接触カード機能制御手段を具備することが好ましい。
【００１１】
本発明の電子決済システムは、複数の電子決済サービスを利用可能な移動体端末装置と、該移動体端末装置と非接触カード通信を行うリーダライタと、該リーダライタに接続された店舗サーバとから構成され、前記移動体端末装置と前記リーダライタとの間の前記非接触カード通信を用いて電子決済を行う電子決済システムであって、前記リーダライタは、前記移動体端末装置に対して、該移動体端末装置で利用可能な全ての電子決済サービスを示す利用可能サービス情報を問い合わせる一括ポーリング信号を送信し、前記移動体端末装置は、前記リーダライタからの前記一括ポーリング信号に応じて、前記非接触カード通信を用いて、前記利用可能サービス情報を前記リーダライタに送信し、前記店舗サーバは、前記リーダライタから受信した前記利用可能サービス情報に基づいて、前記移動体端末装置で利用可能な電子決済サービスのうち店舗側でも対応可能な電子決済サービスを特定し、特定された前記電子決済サービスを示す対応サービス情報を、前記リーダライタに送信し、前記移動体端末装置は、前記リーダライタから受信した前記対応サービス情報に基づいて、前記店舗サーバにおいて特定された前記電子決済サービスを表示手段に表示させ、前記店舗サーバは、店舗側で対応可能な電子決済サービスと、該電子決済サービスを利用する場合の特典情報とを関連付けたテーブルを有し、前記店舗サーバは、前記対応サービス情報を前記リーダライタに送信する際に、前記テーブルにおいて前記対応サービス情報が示す電子決済サービスに関連づけられた特典情報であって該電子決済サービスの暗号鍵を用いて暗号化された前記特典情報を、前記リーダライタに送信し、前記移動体端末装置は、前記リーダライタから、前記対応サービス情報とともに、該電子決済サービスの暗号鍵を用いて暗号化された前記特典情報を受信し、前記移動体端末装置は、前記対応サービス情報が示す前記電子決済サービスの前記暗号鍵を有する場合に、該電子決済サービスとともに、該電子決済サービスの前記暗号鍵を用いて暗号解除された前記特典情報を前記表示手段に表示させることを特徴とする。
【００１２】
この構成によれば、店舗側装置から移動体端末装置で利用可能なサービスを送信してもらうことにより、移動体端末装置で利用できるサービスを個々に問い合わせる必要がなく、情報通信の数を減少させることができる。また、非接触カード機能を用いて、店舗側装置から簡易データを取得して表示させるので、移動機ＯＳ上でアプリケーションなどを起動させることなく、ユーザは簡単に利用サービスを選択することができる。その結果、電子決済において、簡単に、しかもユーザの希望するサービスを利用することができる。
【発明の効果】
【００１４】
本発明に係る電子決済システムにおける移動体端末装置によれば、店舗側装置からの対応サービス情報、自装置の利用可能サービス情報、及び前記利用可能サービス情報に対応するサービスの簡易データの送受信を行う通信手段と、前記簡易データを表示する表示手段と、を具備するので、移動体端末装置と外部Ｒ／Ｗとの間の簡単な情報通信によりユーザが希望するサービスを利用することができる。
【発明を実施するための最良の形態】
【００１５】
以下、本発明の実施の形態について、添付図面を参照して詳細に説明する。
図１は、本発明の一実施の形態に係る移動体端末装置を用いた決済システムの概略構成を示す図である。
【００１６】
図１に示すシステムは、本発明に係る移動体端末（携帯電話）１と、この移動体端末１を用いて決済を行う店舗に配設された外部Ｒ／Ｗ２と、前記店舗に配設され、外部Ｒ／Ｗ２と接続された店舗サーバ３と、前記店舗に配設され、店舗サーバ３に接続されたパーソナルコンピュータ（ＰＣ）４とから主に構成されている。店舗サーバ３は、インターネットなどのネットワーク５に接続されている。
【００１７】
図１に示す移動体端末１は、図２に示す構成を有する。図２は、本発明の一実施の形態に係る移動体端末装置の概略構成を示す図である。なお、図２に示す構成は、本発明を説明するために簡略化したものであり、通常の移動体端末装置に搭載される構成要素は備えているものとする。なお、ここでは、利用可能カード情報に対応するサービスの簡易データがトルカスニップデータであり、非接触カード機能がフェリカ（Felica）である場合について説明する。ここで、簡易データとは、必要な内容を含み、情報量が少なくなるように編集したデータをいう。
【００１８】
移動体端末１は、端末全体の制御を行う制御部１１と、非接触カード機能を実現するためのＩＣカード部１２と、移動体端末１の移動機ＯＳ上で動作し、非接触カード機能に対応するアプリケーションを起動する非接触カード機能制御手段であるＦＡＭ（Felica Application Manager）１３と、トルカスニップデータを使用するための種々の制御を行うトルカデータ管理部１４と、トルカスニップデータの表示や、その他移動体端末１において使用される表示を制御する表示制御部１５と、表示制御された文字、画像、映像を表示するディスプレイ１６と、外部Ｒ／Ｗやネットワークとの間の通信を制御する通信制御部１７と、アンテナ１８とを含む。また、ＩＣカード部１２は、フェリカコンテンツやトルカスニップデータをバッファリングする格納手段であるフェリカチップ１２１と、非接触カード機能を実現させるためのコントローラ（フェリカオペレーティングシステム）１２２とを有する。
【００１９】
移動体端末１は、この移動体端末１と移動通信網を介して接続された移動通信網用サーバと、移動体端末１とインターネットのようなネットワークを介して接続されたＷｅｂサーバ及びフェリカコンテンツサーバとからシステム（図示せず）を構成している。移動通信網は、移動体端末１と移動通信網用サーバとの間のネットワークである。この移動通信網には、通常の移動通信網に加えて移動パケット通信網も含まれる。移動通信網用サーバは、例えばｉモード（登録商標）サーバであり、移動通信網とインターネットとを結ぶゲートウェイ機能を担っており、具体的には、情報配信機能、メール送受信機能、メール蓄積機能、契約顧客管理機能、情報提供者（Information Provider）管理機能、及び情報料課金機能を有する。コンテンツサーバは、フェリカコンテンツを提供する複数のサービスプロバイダから提供されるそれぞれのフェリカコンテンツのコンテンツ本体データを格納すると共に、フェリカを実現するコントローラとネットワークを介してフェリカコンテンツの追加・削除、初期化、データの読み書きを行う。また、コンテンツサーバは、コンテンツサーバからフェリカを実現するコントローラに対する処理を行うためのアプリケーションも搭載している。
【００２０】
移動体端末１の移動機ＯＳ上では、種々のアプリケーションが動作するようになっており、そのアプリケーションには、自装置で利用可能なクレジットサービスに対応するアプリケーションが含まれる。この自装置で利用可能なクレジットサービスに対応するアプリケーションについてのトルカスニップデータには特定の拡張子又は識別子が付与されており、そのようなトルカスニップデータを移動体端末１が外部Ｒ／Ｗ２から取得すると、特定の拡張子又は識別子を検出してＩＣカード部１２を通過して移動機ＯＳに送られ、ＦＡＭ１３の指示により移動機ＯＳ上で当該アプリケーションが起動する。これにより、外部Ｒ／Ｗ２との間で電子決済を行うことができる。なお、これらのアプリケーションは、ネットワークを介して又は直接移動体端末１にインストールやダウンロードされる。
【００２１】
ＩＣカード部１２は、外部Ｒ／Ｗ２との間で非接触カード通信を行う。すなわち、外部Ｒ／Ｗ２が発生する磁場内にＩＣカード部１２が位置すると、その磁場によりＩＣカード部１２のコイルに電流が流れてコントローラ１２２が動作してＩＣカード部１２が使用可能となる。そして、この起動状態下で、外部Ｒ／Ｗから種々の情報（例えば、フェリカコンテンツやトルカスニップデータ）を取得することが可能となる。このようにして取得した種々の情報は、必要に応じてフェリカチップ１２１にバッファリングされる。フェリカチップ１２１には、サービスに対応するアプリケーションが格納されている。また、ＩＣカード部１２は、外部Ｒ／Ｗ２からのポーリングを受信し、それに対応する情報を外部Ｒ／Ｗ２に送信する。さらに、この情報に対応して外部Ｒ／Ｗ２から送信された情報を受信する。すなわち、ＩＣカード部１２は、店舗側装置で対応できるサービス情報、移動体端末で利用可能なサービス情報、及びこの利用可能なサービス情報に対応する店舗側のサービスの簡易データの送受信を行う。これらの処理は、外部Ｒ／Ｗ２とＩＣカード部１２との間で完結して、移動機の他の機能とは連携されない。
【００２２】
ＦＡＭ１３は、フェリカコンテンツを使用するための制御を行うミドルウェアである。特に、ＦＡＭ１３は、外部Ｒ／Ｗ２からフェリカコンテンツを簡単に取得するアクセス制御、取得したフェリカコンテンツの管理並びにブラウザ、メニュー及びフェリカビューワを実行するためのコマンドの発行を行う。これにより、ＦＡＭ１３がフェリカコンテンツを管理することができ、これによりブラウザやフェリカビューワなどの機能を用いてフェリカコンテンツを使用することができる。その結果、ユーザはフェリカコンテンツを簡単に使用、例えば表示画面上への表示などを行うことができる。さらに、ＦＡＭ１３は、外部Ｒ／Ｗ２との間で電子決済を行う際には、ユーザが利用するクレジットサービスに対応するアプリケーションを起動させる。
【００２３】
また、ＦＡＭ１３は、移動体端末１で利用可能なクレジットサービスの管理のために、利用可能なクレジットサービスとその利用可能なクレジットサービスに関する付属情報とを関連づけたテーブルを有する。このテーブルは、例えば図３に示すようなものであり、クレジットサービスであるサービスＡ〜Ｄと、このサービスＡ〜Ｄに関連する付属情報（例えば、サービス登録日、利用残高、ポイント、接続先ＵＲＬなど）とが関連づけられている。このように、ＦＡＭ１３に図３に示すようなテーブルを備えることにより、自装置で利用可能なクレジットサービスを管理することができ、ユーザが希望するサービスを簡単な操作で利用することができる。この場合、このテーブルで管理するサービスを電子決済に関係するサービスに限定したり、他のサービスと混合して管理する際に電子決済サービスのみを抽出できるような拡張子や識別子を付けておくことにより、電子決済の際の外部Ｒ／Ｗ２からのポーリングに対応して電子決済に関するサービスのみを簡単に抽出することが可能となる。なお、テーブルにおいて管理する付属情報は任意であり、図３に示す項目以外の事項を管理しても良い。また、移動体端末１に新たなクレジットサービスが追加された場合には、クレジットサービス提供者が図３に示すテーブルのサービス名称の項目に登録され、そのサービスに関連する付属情報が登録される。さらに、ＦＡＭ１３は、このテーブルで管理されている情報を用いて、トルカデータ管理部１４で管理するトルカスニップデータを編集する。例えばトルカスニップデータにテーブルに登録されている情報を付加する。これにより、移動体端末１に表示させるトルカスニップデータをユーザにとってより有益なトルカスニップデータにすることができる。
【００２４】
トルカデータ管理部１４は、ＩＣカード部１２で取得され、バッファリングされたトルカスニップデータを管理する。例えば、トルカデータ管理部１４は、バッファリングされたトルカスニップデータに対して管理項目でソート処理や検索処理したり、トルカスニップデータを所定のフォーマットに変換したりする。これらのソート、検索、又はフォーマット後のトルカスニップデータは表示制御部１５によりディスプレイ１６に表示される。
【００２５】
表示制御部１５は、ビューワ機能を備えており、取得したトルカスニップデータや移動体端末１で使用する情報をディスプレイ１６上に表示する。通信制御部１７は、移動体端末１と他の移動体端末装置や別の通信機器との間の無線通信の制御などを行う。例えば、通信制御部１７は、アンテナ１８からの無線信号を受信すると共に、他の移動体端末や別の通信機器に送信する信号をアンテナ１８を介して送信する。また、通信制御部１７は、ブラウザ機能やメーラ機能を備えている。なお、通信制御部１７は、光通信、赤外線通信、Bluetooth通信などにも対応できる構成を備えていても良い。
【００２６】
店舗には、移動体端末１を用いて決済を行う外部Ｒ／Ｗ２と、外部Ｒ／Ｗ２と接続された店舗サーバ３と、店舗サーバ３に接続されたパーソナルコンピュータ（ＰＣ）４とが備えられている。店舗サーバ３には、その店舗で利用可能なクレジットサービスとその利用可能なクレジットサービスに関する付属情報とを関連づけたテーブルを有する。このテーブルは、例えば図４に示すようなものであり、クレジットサービスであるサービスＡ〜Ｄと、このサービスＡ〜Ｄに関連する付属情報（例えば、決済可能範囲、特典情報、接続先ＵＲＬなど）とが関連づけられている。このように、ＦＡ店舗サーバ３に図４に示すようなテーブルを備えることにより、店舗で利用可能なクレジットサービスを管理することができ、電子決済を行うユーザが利用できるサービスを簡単な操作で利用することができる。
【００２７】
上記構成を有する電子決済システムにおいては、利用可能サービスの情報を求める一括ポーリングを店舗側から受けた移動体端末１が自装置で利用可能なすべてのサービスの情報を店舗側装置に送信し、店舗側装置では店舗側で対応可能なサービスを簡易データであるトルカスニップデータにして移動体端末１に送る。移動体端末１側では、そのトルカスニップデータを表示させて利用するサービスをユーザに選択させる。このように、店舗側から一括ポーリングにより移動体端末１で利用可能なサービスを送信してもらうことにより、移動体端末１で利用できるサービスを個々に問い合わせる必要がなく、情報通信の数を減少させることができる。また、非接触カード機能を用いて、店舗側から簡易データを取得して表示させるので、移動機ＯＳ上でアプリケーションなどを起動させることなく、ユーザは簡単に利用サービスを選択することができる。その結果、電子決済において、簡単に、しかもユーザの希望するサービスを利用することができる。
【００２８】
本電子決済システムにおいては、ユーザが利用サービスをその都度選択せずに、ユーザが予めどのサービスを優先的に用いるかを設定するようにしても良い。例えば、与信金額の範囲内である限りにおいて特定のクレジットサービスを常に優先的に使用するように設定しても良く、キャンペーンなどによりそのときの獲得ポイントが最も高くなるクレジットサービスを優先的に使用するように設定しても良い。このように予め利用サービスに優先度を設定しておいた状態で電子決済を行う場合、利用可能サービスの情報を求める一括ポーリングを店舗側から受けた移動体端末１は、優先度が付与されたサービスの情報を店舗側装置に送信し、店舗側装置では、受けたサービス情報のうち、店舗側で対応可能なサービスであって予め設定された優先度の最も高いサービスで電子決済を行う。このように利用サービスに優先度を設けておくことにより、所望の利用サービスにより電子決済をより簡単に行うことが可能となる。
【００２９】
なお、ユーザが利用サービスをその都度選択するように設定されている場合、ポイント優先、又は、現金での割引優先などを予め設定しておき、店舗側装置から送られたトルカスニップデータを、移動体端末１において優先順位にしたがって表示させたり、ポイント優先や現金での割引優先のマークを表示させたりしても良い。これにより、ユーザは移動体端末１において利用サービスを選択し易くなる。
【００３０】
次に、上記構成を有する電子決済システムにおいて電子決済を行う場合について図５から図１１を用いて説明する。
図５は、電子決済時に、移動体端末１を店舗側装置の外部Ｒ／Ｗ２に接近させたときの処理を説明するためのシーケンス図である。店舗側装置の外部Ｒ／Ｗ２は、常時一括ポーリングを行っている（ＳＴ１０１）。この一括ポーリングでは、一つ一つのサービスについて個別に利用可能であるかどうかの問い合わせをかけるのではなく、「移動体端末１に保存されているサービスのすべてを通知しろ」という旨の問い合わせを行う。この一括ポーリングの際に、電子決済とは無関係なサービス（例えば、交通定期券や入館証のようなもの）にまで問い合わせをかけてしまうことを避けるために、移動体端末１にサービスを登録する際に、種類別に分類して電子決済に関するサービスを整理しておくことにより「決済系のサービスをすべて通知しろ」という形の一括ポーリングをかけることが可能となり、より効率的である。
【００３１】
移動体端末１を外部Ｒ／Ｗ２に近づけて、ＩＣカード部１２でポーリングを受信すると（ＳＴ１０２、ＳＴ１０３）、移動体端末１では、ＦＡＭ１３のテーブルに登録されているすべてのサービス（利用可能なサービス）の情報を読み出して抽出し（ＳＴ１０４）、この情報を外部Ｒ／Ｗ２に送信する（ＳＴ１０５）。
【００３２】
外部Ｒ／Ｗ２では、移動体端末１で利用可能なサービスの情報を受信すると（ＳＴ１０６）、その情報を店舗サーバ３に送信する。店舗サーバ３がその情報を受信すると（ＳＴ１０７）、受信したサービス情報に対応する店舗側のサービスを検索する（ＳＴ１０８）。すなわち、移動体端末１で利用できるサービスのうち店舗側で対応可能なサービスを検索する。この検索は、店舗サーバ３のテーブルを参照することにより行う。すなわち、受信した利用可能なサービス情報と、店舗サーバ３のテーブルのサービス情報とを比較し、対応可能なサービスを特定する。
【００３３】
次いで、店舗サーバ３においては、検索結果である店舗で対応できるサービスの情報（特典情報などを含む）をトルカスニップデータに編集し（ＳＴ１０９）、そのトルカスニップデータを外部Ｒ／Ｗ２に送信する（ＳＴ１１０）。このトルカスニップデータは、特別な拡張子や識別子の付与又は特別な識別情報を含むヘッダの付与を行い、所定のフォーマットに編集されたものである。そして、外部Ｒ／Ｗ２から移動体端末１にトルカスニップデータが送信される（ＳＴ１１１）。
【００３４】
移動体端末１は、トルカスニップデータを受信すると（ＳＴ１１２）、トルカスニップデータに付与されている拡張子やヘッダを判別する。そして、トルカスニップデータであると判別されると、ＩＣカード部１２を通過して移動機ＯＳにトルカスニップデータが引き渡される（ＳＴ１１３）。その後、表示制御部１５において、必要に応じてトルカスニップデータを読み出し、編集した後に、トルカスニップデータをディスプレイ１６に表示させる（ＳＴ１１４）。これにより、ユーザは店舗で対応できるサービスを視認することができる。このとき、トルカスニップデータにサービス毎の「特典情報」が含まれる場合には、その特典情報もディスプレイ１６に表示される（ＳＴ１１５）。このように特典情報が併せて表示されることにより、ユーザは「どのサービスを利用するか」を決定する時点で特典を受ける機会を逃すことがない。したがって、この特典情報は、ユーザのサービス決定時の判断材料として活用される。
【００３５】
本電子決済サービスにおいて、トルカスニップデータを部分的に暗号化しておき、暗号化／非暗号化の別により特典レベルを変えるようにしても良い。例えば、あるサービスについて会員登録すると予め暗号鍵のような会員情報が配布され、その会員情報（暗号鍵）を用いて、暗号化されたトルカスニップデータの暗号解除を行ってトルカスニップデータの内容を読み出すことができるようにしても良い。このとき、移動体端末１は、特定のサービスに関する部分的に暗号化されたトルカスニップデータを店舗サーバ３から受信した際に、該特定のサービスの会員情報（暗号鍵）を有していれば、ディスプレイ１６にトルカスニップデータの内容を表示し、該特定のサービスの会員情報（暗号鍵）を有していなければ、ディスプレイ１６には何も表示させない（トルカスニップデータはないものとする）、もしくは非会員である旨や特典を受けられない旨を表示する。このように会員情報（暗号鍵）などを有しているか否かにより移動体端末１において表示を変える。これにより、店舗サーバ３は、トルカスニップデータを送信先に応じて（会員情報の有無に応じて）変更する必要はなく、かつ、送信先に応じて特典のレベルを変えて提供することが可能となる。また、この場合において、会員（暗号鍵を有する）である者だけに特典を与えて、非会員（暗号鍵を有しない）である者に特典を与えなくしても良く、会員（暗号鍵を有する）である者により上位の特典を（例えば１５％割引）与えて、非会員（暗号鍵を有しない）である者により下位の特典（例えば１０％割引）を与えても良い。なお、この暗号化／非暗号化のデータ（特典情報）は、例えば図６に示すトルカスニップデータのデータ構成において、暗号化データ２１１及び非暗号化データ２１２を有するデータ説明領域２１に含まれる。図６におけるデータ構造においては、その他にサブ起動制御情報領域２２、バージョン領域２３、ＵＲＬ情報領域２４、データタイトル領域２５、データ場所領域２６、ＩＤ領域２７、カテゴリアイテム領域２８及び取得日時領域２９が含まれる。ただし、このデータ構造は一例であり、これに限定されるものではない。
【００３６】
図７は、電子決済時に、移動体端末１を店舗側装置の外部Ｒ／Ｗ２に再び接近させたときの処理を説明するためのシーケンス図である。また、図９（ａ），（ｂ）は、店舗側で対応可能なサービスと特典情報を表示した画面を示す図である。図９（ａ）に示すように、移動体端末１のディスプレイに店舗で対応可能なサービスとそのサービスの特典情報が表示され、図９（ｂ）に示すようにユーザが所望のサービス（利用したいサービス）を選択すると（図９（ｂ）においてはＣカードを選択して決定する）（ＳＴ２０１）、その選択結果である選択サービス情報がＦＡＭ１３に通知される（ＳＴ２０２）。ＦＡＭ１３は、選択サービス情報が通知されると、ＦＡＭ１３のテーブルを参照して選択されたサービスのアプリケーションをＩＣカード部１２に対して起動要求する（ＳＴ２０３）。
【００３７】
選択されたサービスのアプリケーションを起動した状態で移動体端末１を再度外部Ｒ／Ｗ２に近づけると（ＳＴ２０４）、外部Ｒ／Ｗ２は非接触カード機能によりユーザが選択したサービス（利用サービス）の情報を受信し（ＳＴ２０５）、その情報を店舗サーバ３に送信する（ＳＴ２０５）。店舗サーバ３が利用サービスの情報を受信すると（ＳＴ２０６）、利用サービスのカード情報に基づいて決済処理を行う（ＳＴ２０７）。そして、店舗サーバ３は、決済処理の結果を外部Ｒ／Ｗ２に送信する（ＳＴ２０８）。なお、店舗サーバ３では、必要に応じて決済処理の結果をトルカスニップデータに編集する。外部Ｒ／Ｗ２は、決済処理の結果を移動体端末１に非接触カード機能により送信する（ＳＴ２０９）。移動体端末１においては、決済処理の結果を受信すると（ＳＴ２１０）、決済処理の結果をＦＡＭ１３のテーブルの情報に反映させる、すなわちテーブルの情報を更新する（ＳＴ２１１）。このようにして移動体端末１と店舗側装置との間で電子決済が行われる。
【００３８】
ここで、移動体端末１が決済情報を受信して、ＦＡＭ１３のテーブルに反映させる手順について説明する。図８は、移動体端末内部の情報伝達を示すシーケンス図である。移動体端末１のＩＣカード部１２が外部Ｒ／Ｗ２から決済情報（対応サービス情報）を受信すると（ＳＴ３０１）、決済情報がトルカスニップデータであるかどうかを判断する（ＳＴ３０２）。トルカスニップデータである場合には、移動機ＯＳ上で起動するアプリケーション（トルカアプリケーション）でトルカスニップデータを読み出す（ＳＴ３０３）。そして、アプリケーション上でディスプレイ１６に表示するデータ形成を指示する（ＳＴ３０４）。そして、表示データ形成の指示は表示制御手段１５に送られて、表示制御手段１５で表示データの形成が行われる。そして、形成された表示データが表示部であるディスプレイ１６で表示される（ＳＴ３０５）。
【００３９】
ディスプレイ１６に表示されたデータを見てユーザがサービスを選択した後、その選択情報がトルカアプリケーションに送られると、トルカアプリケーション上で利用したサービスが特定される。そして、その利用したサービスがＦＡＭ１３に通知される（ＳＴ３０６）。ＦＡＭ１３では、選択されたサービスに対応するアプリケーションの起動指示をＩＣカード部１２に対して行い（ＳＴ３０７）、その後、テーブルに登録されている情報を更新し、上書きする（ＳＴ３０８）。これにより、ＦＡＭ１３のテーブルの残高データなどが更新される。
【００４０】
一方、決済情報がトルカスニップデータでない場合には、すなわち非接触カード機能で取得した情報がトルカスニップデータでない場合（特定の拡張子やヘッダがない場合）には、ＩＣカード部１２内で処理を完結する(ＳＴ３０９）。
【００４１】
なお、本実施の形態において、トルカスニップデータを店舗サーバ３で作成し、そのトルカスニップデータを移動体端末１で受信した後に、移動体端末１でＦＡＭ１３がトルカスニップデータを解析し、ＦＡＭ１３があらかじめ持つ、サービスに関する付属情報を追加し、あるいは再編集して、トルカアプリケーションに送信しても良い。図１０は、ＦＡＭ１３がサービスに関する付属情報を追加する場合の移動体端末内部の情報伝達を示すシーケンス図である。
【００４２】
移動体端末１のＩＣカード部１２が外部Ｒ／Ｗ２から決済情報（対応サービス情報）を受信すると（ＳＴ４０１）、決済情報がトルカスニップデータであるかどうかを判断する（ＳＴ４０２）。トルカスニップデータである場合には、ＦＡＭ１３でトルカスニップデータを読み出す（ＳＴ４０３）。ＦＡＭ１３は、移動体端末１で選択されたサービスの付属情報（基本データ）をテーブルから読み出し（ＳＴ４０４）、トルカスニップデータに付属情報を加えて再度トルカスニップデータに編集する。そして、再編集されたトルカスニップデータを移動機ＯＳ上で起動するアプリケーション（トルカアプリケーション）に送信する（ＳＴ４０５）。
【００４３】
トルカアプリケーションでは、再編集されたトルカスニップデータを読み出す（ＳＴ４０６）。そして、アプリケーション上でディスプレイ１６に表示するデータ形成を指示する（ＳＴ４０７）。そして、表示データ形成の指示は表示制御手段１５に送られて、表示制御手段１５で表示データの形成が行われる。そして、形成された表示データが表示部であるディスプレイ１６で表示される（ＳＴ４０８）。
【００４４】
ディスプレイ１６に表示されたデータを見てユーザがサービスを選択した後、その選択情報がトルカアプリケーションに送られると、トルカアプリケーション上で利用したサービスが特定される。そして、その利用したサービスがＦＡＭ１３に通知される（ＳＴ４０９）。ＦＡＭ１３では、選択されたサービスに対応するアプリケーションの起動指示をＩＣカード部１２に対して行い（ＳＴ４１０）、その後、テーブルに登録されている情報を更新し、上書きする（ＳＴ４１１）。これにより、ＦＡＭ１３のテーブルの残高データなどが更新される。
【００４５】
一方、決済情報がトルカスニップデータでない場合には、すなわち非接触カード機能で取得した情報がトルカスニップデータでない場合（特定の拡張子やヘッダがない場合）には、ＩＣカード部１２内で処理を完結する(ＳＴ４１２）。
【００４６】
このようにＦＡＭ１３がテーブルに登録されたデータを含めてトルカスニップデータを再編集し、ディスプレイ１６に表示させることにより、ユーザにとってより有益な情報を表示することが可能となる。すなわち、図１１に示すように、店舗側から提供された特典情報と共に、移動体端末１が有する基本情報も併せて表示することができる。これにより、自装置の情報及び店舗側の情報を同じ画面で視認することが可能となり、ユーザは多くの情報を得ることができる。
【００４７】
このように、本実施の形態によれば、移動体端末と外部Ｒ／Ｗとの間の簡単な情報通信によりユーザが希望するサービスを利用することができる。すなわち、一旦利用可能サービスの一覧とそれぞれのサービスに関する特典情報がユーザに提示されるので、ユーザの利便性が極めて高いものとなる。また、ユーザの移動体端末に格納されている利用可能サービスの情報が店舗側装置に表示される形態をとると、ユーザの意図しない場合であっても、店員に対してサービス登録状況が見られてしまうという虞があるが、本実施の形態においては、利用可能サービス情報がユーザの移動体端末側に表示される形態であるので、このような不都合も発生しない。
【００４８】
本発明は上記実施の形態に限定されず、種々変更して実施することが可能である。例えば、上記実施の形態においては、非接触カード機能がフェリカであり、簡易データがトルカスニップデータである場合について説明しているが、本発明は非接触カード機能がフェリカ以外の非接触カード機能である場合や、簡易データがトルカスニップデータ以外のデータである場合にも同様に適用することができる。その他、本発明の範囲を逸脱しない限りにおいて適宜変更して実施することが可能である。
【図面の簡単な説明】
【００４９】
【図１】本発明の一実施の形態に係る移動体端末装置を用いた決済システムの概略構成を示す図である。
【図２】本発明の一実施の形態に係る移動体端末装置の概略構成を示す図である。
【図３】利用可能なクレジットサービスとその利用可能なクレジットサービスに関する付属情報とを関連づけたテーブルを示す図である。
【図４】利用可能なクレジットサービスとその利用可能なクレジットサービスに関する付属情報とを関連づけたテーブルを示す図である。
【図５】電子決済時に、移動体端末１を店舗側装置の外部Ｒ／Ｗ２に接近させたときの処理を説明するためのシーケンス図である。
【図６】スニップデータのデータ構成を示す図である。
【図７】電子決済時に、移動体端末１を店舗側装置の外部Ｒ／Ｗ２に再び接近させたときの処理を説明するためのシーケンス図である。
【図８】移動体端末内部の情報伝達を示すシーケンス図である。
【図９】（ａ），（ｂ）は、店舗側で対応可能なサービスと特典情報を表示した画面を示す図である。
【図１０】ＦＡＭ１３がサービスに関する付属情報を追加する場合の移動体端末内部の情報伝達を示すシーケンス図である。
【図１１】図１０の処理における表示画面を示す図である。
【符号の説明】
【００５０】
１  移動体端末
２  外部Ｒ／Ｗ
３  店舗サーバ
４  パーソナルコンピュータ
５  ネットワーク
１１  制御部
１２  ＩＣカード部
１３  ＦＡＭ
１４  トルカデータ管理部
１５  表示制御部
１６  ディスプレイ
１７  通信制御部
１８  アンテナ
１２１  フェリカチップ
１２２  コントローラ
【図１】
0004663441.tif 000002
【図２】
0004663441.tif 000003
【図３】
0004663441.tif 000004
【図４】
0004663441.tif 000005
【図５】
0004663441.tif 000006
【図６】
0004663441.tif 000007
【図７】
0004663441.tif 000008
【図８】
0004663441.tif 000009
【図９】
0004663441.tif 000010
【図１０】
0004663441.tif 000011
【図１１】
0004663441.tif 000012